(57)【要約】【課題】既に建物等に固定されていても、アース導電線及び高電圧導電線の配線と配線取り外しとを容易に行うことができる鳥類飛来防止装置用の導電線保持具を提供する。【解決手段】高電圧のパルス電流による電気ショックを鳥類に与えて鳥類の飛来を防止する鳥類飛来防止装置に用いられ、高電圧導電線Ｖとアース導電線Ｅとを所定の間隔で保持する鳥類飛来防止装置用の導電線保持具１である。高電圧導電線Ｖとアース導電線Ｅとを取り付け取り外し可能に所定の間隔で平行に挟持する少なくとも２片に分割可能な挟持部２と、挟持部２を締め付けて高電圧導電線Ｖ及びアース導電線Ｅを挟持部２に挟持させる締め付け及び締め付け解除可能な締結手段３と、建物等に固定されて挟持部２を支持する固定部５とを備えている。挟持部２を分割することにより、高電圧導電線Ｖ及びアース導電線Ｅを挟持部２から取り外すことができ、挟持部２に取り付けることもできる。【選択図】　　　　図１
2004041106.tif 000002
【特許請求の範囲】
【請求項１】
高電圧のパルス電流による電気ショックを鳥類に与えて鳥類の飛来を防止する鳥類飛来防止装置に用いられ、高電圧導電線とアース導電線とを所定の間隔で保持する鳥類飛来防止装置用の導電線保持具であって、
高電圧導電線とアース導電線とを取り付け取り外し可能に所定の間隔で平行に挟持する少なくとも２片に分割可能な挟持部と、
この挟持部を締め付けて高電圧導電線及びアース導電線を前記挟持部に挟持させる締め付け及び締め付け解除可能な締結手段と、
建物等に固定されて前記挟持部を支持する固定部と
を備えていることを特徴とする鳥類飛来防止装置用の導電線保持具。
【請求項２】
前記固定部は、建物等に固定される固定面が、前記挟持部に挟持される高電圧導電線とアース導電線とがなす面に対して傾斜していることを特徴とする請求項１に記載の鳥類飛来防止装置用の導電線保持具。
【請求項３】
前記締結手段は、前記挟持部を貫通するボルトと、このボルトと螺合して前記挟持部を締め付けるナットとから構成され、
前記挟持部は、前記固定部を介して建物等に固定される固定挟持片と、この固定挟持片に前記締結手段で分離可能に組み付けられた分離挟持片とから構成され、前記固定挟持片及び分離挟持片に、前記ボルトを挿通させるボルト穴が設けられ、前記固定挟持片のボルト穴に、前記ボルトと螺合するねじ部が設けられていることを特徴とする請求項１又は２に記載の鳥類飛来防止装置用の導電線保持具。
【請求項４】
高電圧導電線又はアース導電線が挿通させられて高電圧導電線又はアース導電線と共に前記挟持部に挟持され、前記締結手段により前記挟持部を介して径方向へ圧縮されて高電圧導電線又はアース導電線を前記挟持部に固定する径方向へ圧縮復元可能な圧縮スリーブを備えていることを特徴とする請求項１乃至３の何れか一項に記載の鳥類飛来防止装置用の導電線保持具。
【発明の詳細な説明】
【０００１】
【発明の属する技術分野】
本発明は、高電圧のパルス電流による電気ショックを鳥類に与えて鳥類の飛来を防止する鳥類飛来防止装置に用いられ、高電圧導電線とアース導電線とを所定の間隔で保持する鳥類飛来防止装置用の導電線保持具に関する。
【０００２】
【従来の技術】
カラスや鳩等の鳥類の飛来を防止する鳥類飛来防止装置には、登録実用新案第３０１２２０７号公報，特開平８−２５６６６６号公報，特開２００２−１７２３５号公報等に開示されているように、高電圧のパルス電流によって鳥類に電気ショックを与える装置がある。このような装置においては、高電圧導電線とアース導電線とを、所定の間隔をあけて建物の屋根，庇，パラペット等に配線する必要があり、この配線に際しては、高電圧導電線とアース導電線とを所定の間隔で保持する導電線保持具が使用されている。
【０００３】
図９は、従来の導電線保持具の一例を示す図であり、（ａ）は正面図、（ｂ）はＸ−Ｘ線断面図である。この導電線保持具ａは硬質の合成ゴム製であり、高電圧導電線を挿通させる挿通穴ｂが頂部に１箇所設けられ、アース導電線を挿通させる挿通穴ｃが中央部に２箇所設けられている。
【０００４】
図１０は、図９に示す従来品の使用状態を示す斜視図である。この図に示すように、導電線保持具ａは、建物のパラペット等に接着剤によって所定のピッチで固定され、１本の高電圧導電線Ｖと２本のアース導電線Ｅ，Ｅとを保持している。両アース導電線Ｅ，Ｅは何れも、高電圧導電線Ｖとは所定の間隔で離間しており、両アース導電線Ｅ，Ｅと高電圧導電線Ｖとは、中継用導電線Ｋを介して高電圧パルス発生装置Ｐに接続されている。なお、アース導電線Ｅと高電圧導電線Ｖとには鋼線が使用されている。
【０００５】
カラス等の鳥類は、アース導電線Ｅと高電圧導電線Ｖとを掴んだり、あるいは、アース導電線Ｅと高電圧導電線Ｖとの間に嘴を差し込んだりして、アース導電線Ｅと高電圧導電線Ｖとに同時に触れると、高電圧のパルス電流によって電気ショックを受ける。このため、アース導電線Ｅ及び高電圧導電線Ｖの配線場所には、鳥類は学習効果によって飛来しなくなる。
【０００６】
【発明が解決しようとする課題】
例えば、建物におけるアース導電線Ｅ及び高電圧導電線Ｖの配線場所を補修する際等には、配線したアース導電線Ｅ及び高電圧導電線Ｖを一時的に取り外す場合がある。特に、建物のパラペット等に施したコーキング材をカラスが毟り取るのを防止するため、コーキング材に沿ってアース導電線Ｅ及び高電圧導電線Ｖを配線している場合には、コーキング材の劣化に伴う補修工事の際に、配線したアース導電線Ｅ及び高電圧導電線Ｖを一時的に取り外す必要が生じる。また、補修が終わった後には、取り外したアース導電線Ｅ及び高電圧導電線Ｖを再び配線する必要も生じる。
【０００７】
ところが、既に建物等に固定されている導電線保持具ａからアース導電線Ｅ及び高電圧導電線Ｖの配線を一時的に取り外す場合には、導電線保持具ａの挿通穴ｂから高電圧導電線Ｖを抜き取り、導電線保持具ａの挿通穴ｃからアース導電線Ｅを抜き取る必要が生じ、アース導電線Ｅ及び高電圧導電線Ｖの取り外しに手間がかかる。特に、建物等のコーナー部においては、アース導電線Ｅ及び高電圧導電線Ｖが折り曲げられているため、アース導電線Ｅ及び高電圧導電線Ｖの取り外しに手間がかかる。
【０００８】
また、既に建物等に固定されている導電線保持具ａにアース導電線Ｅ及び高電圧導電線Ｖを再び配線する場合には、導電線保持具ａの挿通穴ｂに高電圧導電線Ｖを挿通させ、導電線保持具ａの挿通穴ｃにアース導電線Ｅを挿通させる必要が生じ、アース導電線Ｅ及び高電圧導電線Ｖの配線に手間がかかる。特に、建物等のコーナー部においては、アース導電線Ｅ及び高電圧導電線Ｖが折り曲げられているため、アース導電線Ｅ及び高電圧導電線Ｖの配線に手間がかかる。
【０００９】
従って、従来の導電線保持具ａには、導電線保持具ａが既に建物等に固定されている場合に、アース導電線Ｅ及び高電圧導電線Ｖの配線と配線取り外しとに手間がかかるという問題がある。
【００１０】
そこで、本発明は、既に建物等に固定されている場合であっても、アース導電線及び高電圧導電線の配線と配線取り外しとを容易に行うことができる鳥類飛来防止装置用の導電線保持具を提供することを目的としている。
【００１１】
【課題を解決するための手段】
本発明の鳥類飛来防止装置用の導電線保持具は、高電圧のパルス電流による電気ショックを鳥類に与えて鳥類の飛来を防止する鳥類飛来防止装置に用いられ、高電圧導電線とアース導電線とを所定の間隔で保持する鳥類飛来防止装置用の導電線保持具であって、高電圧導電線とアース導電線とを取り付け取り外し可能に所定の間隔で平行に挟持する少なくとも２片に分割可能な挟持部と、この挟持部を締め付けて高電圧導電線及びアース導電線を前記挟持部に挟持させる締め付け及び締め付け解除可能な締結手段と、建物等に固定されて前記挟持部を支持する固定部とを備えている。
【００１２】
このため、本発明の導電線保持具では、締結手段による挟持部の締め付けを解除して、挟持部を少なくとも２片に分割することにより、挟持部に挟持されている高電圧導電線及びアース導電線を挟持部から取り外すことができる。逆に、少なくとも２片に分割して高電圧導電線及びアース導電線を取り付けた挟持部を、締結手段によって締め付けることにより、高電圧導電線及びアース導電線を挟持部に所定の間隔で挟持させることもできる。従って、固定部が既に建物等に固定されている場合であっても、アース導電線及び高電圧導電線の配線と配線取り外しとを容易に行うことができる。
【００１３】
なお、挟持部に挟持される高電圧導電線は、１本に限定されず、少なくとも１本であれば良い。同様に、挟持部に挟持されるアース導電線も、１本に限定されず、少なくとも１本であれば良い。従って、挟持部に挟持されるのは、例えば、２本のアース導電線と１本の高電圧導電線とであっても良く、アース導電線と高電圧導電線とが２本づつ等であっても良い。
【００１４】
本発明の導電線保持具では、前記固定部において、建物等に固定される固定面を、前記挟持部に挟持される高電圧導電線とアース導電線とがなす面に対して傾斜させることにより、挟持部に挟持されるアース導電線と高電圧導電線とは、固定部の固定面が固定される建物の面に対し、上下方向へ位置ずれした状態で配線される。このため、アース導電線同士を互いに交差するように接続し高電圧導電線同士も互いに交差するように接続する際には、アース導電線と高電圧導電線との接触を回避して接続することができ、高電圧導電線及びアース導電線の配線作業の作業効率を向上させることができる。
【００１５】
また、本発明の導電線保持具では、前記締結手段を、前記挟持部を貫通するボルトと、このボルトと螺合して挟持部を締め付けるナットとから構成し、挟持部は、前記固定部を介して建物等に固定される固定挟持片と、この固定挟持片に前記締結手段で分離可能に組み付けられた分離挟持片とから構成し、前記固定挟持片及び分離挟持片に、前記ボルトを挿通させるボルト穴を設け、前記固定挟持片のボルト穴に、前記ボルトと螺合するねじ部を設けることにより、ボルトからナットを取り外して挟持部の固定挟持片から分離挟持片を分離させた場合であっても、ボルトは、固定挟持片のねじ部に螺合しているため、固定挟持片から抜け落ちることがない。従って、高電圧導電線及びアース導電線の配線作業と、アース導電線及び高電圧導電線の配線取り外し作業との作業効率を向上させることができる。なお、本発明において「ボルト」は、ナットと協働して挟持部を締め付ける締結手段であり、ビスを含んでいる。
【００１６】
また、本発明の導電線保持具では、高電圧導電線又はアース導電線が挿通させられて高電圧導電線又はアース導電線と共に前記挟持部に挟持され、前記締結手段により前記挟持部を介して径方向へ圧縮されて高電圧導電線又はアース導電線を前記挟持部に固定する径方向へ圧縮復元可能な圧縮スリーブを備えることにより、圧縮スリーブによって高電圧導電線とアース導電線との少なくとも一方を挟持部に固定することができる。従って、高電圧導電線とアース導電線との一方にカラス等の鳥が停まっても、その鳥の体重により高電圧導電線とアース導電線との一方が撓むのを抑えて他方と接触するのを防止することができる。
【００１７】
【発明の実施の形態】
本発明の実施形態の一例を、図を用いて以下に説明する。なお、本実施形態においては、高電圧導電線及びアース導電線にはステンレス製で同径のバネ鋼線を使用している。ステンレス製にしたのは錆びにくいからである。バネ鋼線を使用しているのは、カラス等の鳥が停まって高電圧導電線又はアース導電線が撓んだ場合であっても、その鳥が飛び去れば、撓みがない元の状態に復元させるためである。
【００１８】
図１は、本実施形態に係る鳥類飛来防止装置用の導電線保持具を示す斜視図である。図２は、図１に示す導電線保持具のＹ−Ｙ線断面図である。図１，図２に示すように、この導電線保持具１は、高電圧導電線Ｖとアース導電線Ｅとを所定の間隔で平行に挟持する挟持部２と、挟持部２を締め付けて高電圧導電線Ｖ及びアース導電線Ｅを挟持部２に挟持させる締結手段３と、建物等に固定されて挟持部２を支持する固定部４とを備えている。
【００１９】
また、高電圧導電線Ｖ又はアース導電線Ｅが挿通させられて高電圧導電線Ｖ又はアース導電線Ｅと共に挟持部２に挟持され、締結手段３により挟持部２を介して径方向へ圧縮されて高電圧導電線Ｖ又はアース導電線Ｅを挟持部２に固定する径方向へ圧縮復元可能な圧縮スリーブ５を備えている。圧縮スリーブ５としては、高電圧導電線Ｖを挿通させた高電圧導電線Ｖ用の圧縮スリーブ５と、アース導電線Ｅを挿通させたアース導電線Ｅ用の圧縮スリーブ５とを備えている。
【００２０】
挟持部２は、固定部４に締結手段３で取り付けられ固定部４を介して建物等に固定される固定挟持片１０と、固定挟持片１０に締結手段３で分離可能に組み付けられた分離挟持片２０とから構成されている。締結手段３は、ビスであるボルト３ａと、このボルト３ａと螺合して挟持部２を締め付けるナット３ｂとから構成されている。固定挟持片１０と分離挟持片２０と固定部４には、ボルト３ａを挿通させるボルト穴がそれぞれ設けられている。固定挟持片１０には、ボルト３ａと螺合するねじ部を固定挟持片１０のボルト穴に形成してボルト３ａを保持する保持ナット６が組み付けられている。なお、図１，図２において符号７は、座金を示している。
【００２１】
図３は、図１に示す導電線保持具の固定部を示す図であり、（ａ）は平面図、（ｂ）は右側面図である。図３に示すように、固定部４は、建物等に固定されて挟持部２を支持するステンレス鋼板製の固定片３０と、固定片３０の固定面３１に固着された仮固定用の粘着テープ４０とから構成されている。粘着テープ４０は、表面の粘着面に、その粘着面を保護する剥離可能な剥離紙を備えている。
【００２２】
固定片３０は、建物等に固定される固定面３１を有する固定部位３２と、固定部位３２の一端から略直角に起立する起立部位３３と、起立部位３３の上端から固定部位３２とは反対側へ延び挟持部２が取り付けられる取付部位３４とを備えている。取付部位３４は、固定部位３２に対して約３０度の傾斜角度θで上方傾斜している。このため、導電線保持具１では、挟持部２に平行に挟持された高電圧導電線Ｖとアース導電線Ｅとがなす面は、固定部４の固定面３１に対して約３０度の傾斜角度θで傾斜している。
【００２３】
ボルト穴３５は取付部位３４の中央部に設けられている。固定部位３２の中央部には、導電線保持具１を建物等に接着剤で固定する際に、固定面３１に塗られた接着剤を固定部位３２の表面側に盛り上げるための貫通穴３６が設けられている。このため、固定面３１に塗られた接着剤は、固定部位３２を建物等の固定個所に押し付けた際に貫通穴３６から固定部位３２の表面側に盛り上がり、この盛り上がった接着剤は、固化後はボルトの頭部のように固定片３０の建物等への固定を補強する。
【００２４】
図４は、図１に示す導電線保持具の固定挟持片を示す図であり、（ａ）は平面図、（ｂ）は右側面図、（ｃ）は裏面図である。図４に示す固定挟持片１０は合成樹脂製である。固定挟持片１０の中央部には、ボルト３ａを挿通させるためのボルト穴１１が設けられている。固定挟持片１０の表面には、ボルト穴１１を挟んだ両側にそれぞれ、圧縮スリーブ５を介して高電圧導電線Ｖとアース導電線Ｅとを挟持するための断面半円形の挟持溝１２が形成されている。
【００２５】
両挟持溝１２，１２は、所定の間隔で互いに平行に形成されている。また、両挟持溝１２，１２は、圧縮スリーブ５を径方向へ圧縮させた状態で挟持するため、半径が圧縮スリーブ５の半径より少し小径に形成されている。両挟持溝１２，１２を挟んだ両側にはそれぞれ、固定挟持片１０に分離挟持片２０を組み付ける際に分離挟持片２０の係合溝２３（図５参照）と係合する係合突部１３が挟持溝１２に沿って形成されている。固定挟持片１０の裏面には、保持ナット６を収める収納凹部１４が形成され、保持ナット６は、収納凹部１４に収納された状態で固定挟持片１０に接着固定されている。
【００２６】
図５は、図１に示す導電線保持具の分離挟持片を示す図であり、（ａ）は平面図、（ｂ）は右側面図、（ｃ）は裏面図である。図５に示す分離挟持片２０は合成樹脂製である。分離挟持片２０の中央部には、ボルト３ａを挿通させるためのボルト穴２１が設けられている。分離挟持片２０の裏面には、ボルト穴２１を挟んだ両側にそれぞれ、圧縮スリーブ５を介して高電圧導電線Ｖとアース導電線Ｅとを挟持するための断面半円形の挟持溝２２が形成されている。
【００２７】
両挟持溝２２，２２は、所定の間隔で互いに平行に形成されている。また、両挟持溝２２，２２は、圧縮スリーブ５を径方向へ圧縮させた状態で挟持するため、半径が圧縮スリーブ５の半径より少し小径に形成されている。両挟持溝２２，２２を挟んだ両側にはそれぞれ、固定挟持片１０に分離挟持片２０を組み付ける際に固定挟持片１０の係合突部１３と係合する係合溝２３が挟持溝２２に沿って形成されている。係合溝２３の深さは、係合突部１３の高さより少し長く設定されている。
【００２８】
図６は、図１に示す導電線保持具の圧縮スリーブを示す図であり、（ａ）は正面図、（ｂ）は断面図である。図６に示すように、圧縮スリーブ５は、高電圧導電線Ｖ又はアース導電線Ｅを挿通させる挿通穴５ａを有する合成ゴム製の円筒状の部材である。挿通穴５ａの直径は、高電圧導電線Ｖ及びアース導電線Ｅの線径より僅かに大径に設定されている。
【００２９】
導電線保持具１を組み立てる際には、図２に示すように、固定挟持片１０に組み付けられた保持ナット６に、固定片３０のボルト穴３５に挿通させたボルト３ａを螺合させて、固定片３０に固定挟持片１０を固定する。この固定した状態で固定挟持片１０を接着剤で固定片３０に固着させても良い。この後、固定挟持片１０の両挟持溝１２，１２に圧縮スリーブ５をそれぞれ配置した状態で、ボルト３ａとナット３ｂとによって固定挟持片１０に分離挟持片２０を組み付ける。
【００３０】
図７は、図１に示す導電線保持具の使用状態の一例を示す斜視図である。図７に示すように、建物のパラペット等に取り付けられた金属製の化粧板Ａには、その接合部の溝にシール用のコーキング材Ｂが塗布されている。このコーキング材Ｂをカラスが悪戯して毟り取るのを防止するため、高電圧導電線Ｖとアース導電線Ｅとは、コーキング材Ｂを覆うように、コーキング材Ｂに沿って配線されている。
【００３１】
このコーキング材Ｂに沿って配線された高電圧導電線Ｖとアース導電線Ｅとは、図外の高電圧パルス発生装置に接続された中継用の高電圧導電線Ｖとアース導電線Ｅとに、かしめられた接続金具Ｊによってそれぞれが略直交するように接続されている。導電線保持具１は、接着剤によって化粧板Ａに所定の間隔で固定されている。
【００３２】
劣化したコーキング材Ｂの補修工事等を行うためにアース導電線Ｅ及び高電圧導電線Ｖの配線を一時的に取り外す場合は、各導電線保持具１のボルト３ａとナット３ｂとの螺合を解除して分離挟持片２０を固定挟持片１０から分離させ、アース導電線Ｅ及び高電圧導電線Ｖを圧縮スリーブ５と共に固定挟持片１０から取り外せば良い。このとき、各導電線保持具１のボルト３ａは、固定挟持片１０に組み付けられた保持ナット６と螺合しているため、固定挟持片１０から抜け落ちることはない。
【００３３】
コーキング材Ｂの補修工事等が完了してアース導電線Ｅ及び高電圧導電線Ｖを再び配線する場合は、固定挟持片１０の両挟持溝１２，１２に圧縮スリーブ５をそれぞれ配置した状態で、分離挟持片２０のボルト穴２１にボルト３ａを挿通させて固定挟持片１０に分離挟持片２０を被せた後、ボルト３ａに座金７を挿通させナット３ｂを螺合させて、固定挟持片１０に分離挟持片２０を組み付ければ良い。このとき、分離挟持片２０の係合溝２３と固定挟持片１０の係合突部１３とが係合し、分離挟持片２０と固定挟持片１０とが圧縮スリーブ５を径方向へ圧縮させて高電圧導電線Ｖとアース導電線Ｅとを挟持部２に固定する。
【００３４】
以上説明したように、導電線保持具１では、締結手段３による挟持部２の締め付けを解除して、挟持部２を固定挟持片１０と分離挟持片２０とに分割することにより、挟持部２に挟持されている高電圧導電線Ｖ及びアース導電線Ｅを挟持部２から取り外すことができる。逆に、固定挟持片１０と分離挟持片２０とに分割して高電圧導電線Ｖ及びアース導電線Ｅを取り付けた挟持部２を、締結手段３によって締め付けることにより、高電圧導電線Ｖ及びアース導電線Ｅを挟持部２に挟持させることもできる。従って、固定部４が既に建物等に固定されている場合であっても、アース導電線Ｅ及び高電圧導電線Ｖの配線と配線取り外しとを容易に行うことができる。
【００３５】
また、導電線保持具１では、挟持部２に平行に挟持された高電圧導電線Ｖとアース導電線Ｅとがなす面は、固定部４の固定面３１に対して約３０度の傾斜角度θで傾斜している。このため、図７に示すように、挟持部２に挟持されたアース導電線Ｅと高電圧導電線Ｖとは、固定部４の固定面３１が固定される建物の面に対し、上下方向へ位置ずれした状態で配線される。従って、アース導電線Ｅ同士を互いに交差するように接続すると共に、高電圧導電線Ｖ同士も互いに交差するように接続する際には、アース導電線Ｅと高電圧導電線Ｖとの接触を回避して接続することができ、高電圧導電線Ｖ及びアース導電線Ｅの配線作業の作業効率を向上させることもできる。
【００３６】
また、導電線保持具１では、固定挟持片１０に保持ナット６が組み付けられて、ボルト３ａと螺合するねじ部が固定挟持片１０のボルト穴に設けられている。このため、ボルト３ａからナット３ｂを取り外して挟持部２の固定挟持片１０から分離挟持片２０を分離させた場合であっても、ボルト３ａは、固定挟持片１０に組み付けられた保持ナット６と螺合しており、固定挟持片１０から抜け落ちることがない。従って、高電圧導電線Ｖ及びアース導電線Ｅの配線作業と、アース導電線Ｅ及び高電圧導電線Ｖの配線取り外し作業との作業効率を向上させることもできる。
【００３７】
更に、導電線保持具１では、高電圧導電線Ｖ用の圧縮スリーブ５は、締結手段３により挟持部２を介して径方向へ圧縮されて高電圧導電線Ｖを挟持部２に固定し、アース導電線Ｅ用の圧縮スリーブ５は、締結手段３により挟持部２を介して径方向へ圧縮されて高電圧導電線Ｖを挟持部２に固定している。このため、例えば高電圧導電線Ｖにカラスが停まっても、そのカラスの体重によって高電圧導電線Ｖが撓むのを抑えることができ、高電圧導電線Ｖとアース導電線Ｅとが互いに接触してショートするのを防止することができる。
【００３８】
図８は、圧縮スリーブの他の一例を示す断面図である。この圧縮スリーブ１０５は、締結手段３により挟持部を介して径方向へ圧縮されて、挿通穴１０５ａの両端の開口部からそれぞれ挿入される一対の高電圧導電線Ｖ，Ｖ同士又は一対のアース導電線Ｅ，Ｅ同士を接続する接続具を兼ねている。このように、圧縮スリーブ１０５に接続具を兼ねさせることにより、高電圧導電線Ｖ，Ｖ同士又はアース導電線Ｅ，Ｅ同士を接続する接続作業と、高電圧導電線Ｖ又はアース導電線Ｅを配線する配線作業とを同時に行うことができ、その配線作業の作業効率を向上させることができる。
【００３９】
なお、圧縮スリーブ５，１０５は、円筒状に限定されず、例えば角筒状であっても良く、外周面に長手方向へ沿って延びる多数の突条を備えた断面星型等であっても良い。また、導電線保持具１では、固定挟持片１０に、ボルト３ａと螺合するねじ部を固定挟持片１０のボルト穴１１に形成してボルト３ａを保持する保持ナット６が組み付けられている。しかし、固定挟持片１０のボルト穴１１に、ボルト３ａと螺合してボルト３ａを保持するねじ部を形成することにより、保持ナット６を不要にすることは勿論可能である。
【００４０】
【発明の効果】
本発明の鳥類飛来防止装置用の導電線保持具によれば以下の効果が得られる。
（１）締結手段による挟持部の締め付けを解除して、挟持部を少なくとも２片に分割することにより、挟持部に挟持されている高電圧導電線及びアース導電線を挟持部から取り外すことができる。逆に、少なくとも２片に分割して高電圧導電線及びアース導電線を取り付けた挟持部を、締結手段によって締め付けることにより、高電圧導電線及びアース導電線を挟持部に所定の間隔で挟持させることもできる。従って、固定部が既に建物等に固定されている場合であっても、アース導電線及び高電圧導電線の配線と配線取り外しとを容易に行うことができる。
【００４１】
（２）固定部において、建物等に固定される固定面を、挟持部に挟持される高電圧導電線とアース導電線とがなす面に対して傾斜させることにより、挟持部に挟持されるアース導電線と高電圧導電線とは、固定部の固定面が固定される建物の面に対し、上下方向へ位置ずれした状態で配線される。このため、アース導電線同士を互いに交差するように接続すると共に、高電圧導電線同士も互いに交差するように接続する際には、アース導電線と高電圧導電線との接触を回避して接続することができ、高電圧導電線及びアース導電線の配線作業の作業効率を向上させることができる。
【００４２】
（３）締結手段を、挟持部を貫通するボルトと、このボルトと螺合して挟持部を締め付けるナットとから構成し、挟持部は、固定部を介して建物等に固定される固定挟持片と、この固定挟持片に締結手段で分離可能に組み付けられた分離挟持片とから構成し、固定挟持片及び分離挟持片に、ボルトを挿通させるボルト穴を設け、固定挟持片のボルト穴に、ボルトと螺合するねじ部を設けることにより、ボルトからナットを取り外して挟持部の固定挟持片から分離挟持片を分離させた場合であっても、ボルトは、固定挟持片のねじ部に螺合しているため、固定挟持片から抜け落ちることがない。従って、高電圧導電線及びアース導電線の配線作業と、アース導電線及び高電圧導電線の配線取り外し作業との作業効率を向上させることができる。
【００４３】
（４）高電圧導電線又はアース導電線が挿通させられて高電圧導電線又はアース導電線と共に前記挟持部に挟持され、前記締結手段により前記挟持部を介して径方向へ圧縮されて高電圧導電線又はアース導電線を前記挟持部に固定する径方向へ圧縮復元可能な圧縮スリーブを備えることにより、圧縮スリーブによって高電圧導電線とアース導電線との少なくとも一方を挟持部に固定することができる。従って、高電圧導電線とアース導電線との一方にカラス等の鳥が停まっても、その鳥の体重により高電圧導電線とアース導電線との一方が撓むのを抑えて他方と接触するのを防止することができる。
【図面の簡単な説明】
【図１】本発明の一実施形態に係る鳥類飛来防止装置用の導電線保持具を示す斜視図である。
【図２】図１に示す導電線保持具のＹ−Ｙ線断面図である。
【図３】図１に示す導電線保持具の固定部を示す図であり、（ａ）は平面図、（ｂ）は右側面図である。
【図４】図１に示す導電線保持具の固定挟持片を示す図であり、（ａ）は平面図、（ｂ）は右側面図、（ｃ）は裏面図である。
【図５】図１に示す導電線保持具の分離挟持片を示す図であり、（ａ）は平面図、（ｂ）は右側面図、（ｃ）は裏面図である。
【図６】図１に示す導電線保持具の圧縮スリーブを示す図であり、（ａ）は正面図、（ｂ）は断面図である。
【図７】図１に示す導電線保持具の使用状態の一例を示す斜視図である。
【図８】圧縮スリーブの他の一例を示す断面図である。
【図９】従来品の一例を示す図であり、（ａ）は正面図、（ｂ）はＸ−Ｘ線断面図である。
【図１０】図９に示す従来品の使用状態を示す斜視図である。
【符号の説明】
１　導電線保持具
２　挟持部
３　締結手段
３ａ　ボルト
３ｂ　ナット
４　固定部
５，１０５　圧縮スリーブ
５ａ，１０５ａ　挿通穴
６　保持ナット
７　座金
１０　固定挟持片
１１　ボルト穴
１２　挟持溝
１３　係合突部
１４　収納凹部
２０　分離挟持片
２１　ボルト穴
２２　挟持溝
２３　係合溝
３０　固定片
３１　固定面
３２　固定部位
３３　起立部位
３４　取付部位
３５　ボルト穴
３６　貫通穴
４０　粘着テープ
Ａ　化粧板
Ｂ　コーキング材
Ｅ　アース導電線
Ｊ　接続金具
Ｖ　高電圧導電線
θ　傾斜角度
【図１】
2004041106.tif 000003
【図２】
2004041106.tif 000004
【図３】
2004041106.tif 000005
【図４】
2004041106.tif 000006
【図５】
2004041106.tif 000007
【図６】
2004041106.tif 000008
【図７】
2004041106.tif 000009
【図８】
2004041106.tif 000010
【図９】
2004041106.tif 000011
【図１０】
2004041106.tif 000012